(57)【要約】【課題】極細繊維製の清掃用拭き取り具を、シート状の布ではない持ちやすい形態で提供する。【解決手段】極細繊維を含む多数本の繊維を束ねて括り、括り付け箇所の両側端を切断して作る凡天１３で構成する塊状体の清掃用拭き取り具。多数本の繊維は、極細繊維と、着色した普通繊維とを混合することで、簡単に且つ低コストで凡天に着色することができる。【選択図】図１
2004166909.tif 000002
【特許請求の範囲】
【請求項１】
極細繊維を含む多数本の繊維を束ねて塊状体にしたことを特徴とする清掃用拭き取り具。
【請求項２】
上記多数本の繊維の塊状体は、多数本の繊維を束ねて括り、括り付け箇所の両側端を切断して作る凡天である、請求項１記載の清掃用拭き取り具。
【請求項３】
上記多数本の繊維は、極細繊維と、着色した普通繊維とが混合されている請求項１または２記載の清掃用拭き取り具。
【発明の詳細な説明】
【０００１】
【発明の属する技術分野】
本発明は、眼鏡やカメラ等の光学機器のレンズ、或いは携帯電話の液晶表示面や本体、さらには飾り物などの埃や汚れを拭き取るための清掃用拭き取り具に関する。
【０００２】
【従来の技術】
従来、上述のような清掃用拭き取り具として、特に眼鏡拭き布として、マイクロファイバーや分割繊維などと呼ばれる極細繊維をシート状に織った布が知られている。この拭き布は、極細繊維の高い柔軟性と高い拭き取り作用によって、レンズ等の対象物の表面を擦ることで、その表面にキズ付けることなく微細な埃や汚れを綺麗に取り除くものである。主に、眼鏡のレンズ拭き布として使用されているが、眼鏡専用に利用されている訳ではなく、カメラ等の光学機器のレンズ拭きに用いられたり、表面にキズをつけたくない種々の物の表面を拭いたり磨いたりするのに広く用いられている。
【０００３】
これまでの拭き取り具は、上述の眼鏡拭き布のように専ら布状のものであり、例えば眼鏡のレンズを拭く場合には、レンズを布で挟み付けるようにして指で摘むかたちに布を持ってレンズ面を擦っているのが殆どの場合の使用状態である。この布形態の拭き取り具は、極細繊維の高い柔軟性の故に非常にしなやかである。換言すれば、しなやかであるが故に生地の腰がないのである。腰のない拭き布で対象物の表面を擦る作業は作業者にとって手応えの弱い作業になり、擦る手につい力が入ってしまって眼鏡のフレームを歪ませる虞がある。
【０００４】
なお、本件出願人は、この出願の発明に関連する先行技術文献の存在を知らない。したがって、記載すべき先行技術文献情報はない。
【０００５】
【発明が解決しようとする課題】
本発明は、上述の問題点に鑑みて創案されたものであり、極細繊維から作られるが布形態ではなく、指先で摘んで持つことが簡単な塊状体の眼鏡拭きのような清掃用拭き取り具を提供するものである。
【０００６】
【課題を解決するための手段】
本発明に係る清掃用拭き取り具は、極細繊維を含む多数本の繊維を束ねて塊状体にされている。多数本の繊維の塊状体は、多数本の繊維を束ねて括り、括り付け箇所の両側端を切断して作る凡天とすることができる。多数本の繊維は、極細繊維と、着色した普通繊維とが混合されていてもよい。
【０００７】
【発明の実施の形態】
衣服の装飾にフリルやレースが用いられることはよく知られている。そのフリルやレースと同様に、衣服の装飾に用いられるものの一つに、丸い玉状に形成される凡天というものがある。図１は凡天の作り方を説明する図である。凡天は、例えば１０００本とか２０００本といった多数本の繊維（原糸）を束ね、その繊維束１０を一定間隔のピッチで括ったものを、その括った箇所１１の間で切断し（切断位置を一点鎖線で示す）、個々の切断片の繊維束の毛先に種々の仕上げ加工が施し、全体をほぐして玉状の形にしたものである。切断後の仕上げ加工は、原糸の素材によって種々の加工が施される。例えばアクリル原糸の場合、凡天全体が丸くなるように鋏でつむ。レーヨン原糸の場合には、蒸気を吹きかけて蒸す。仕上げ加工が施された凡天は、括った箇所が球状体の中心で芯のように固くなっており、その周りに繊維が放射状に延びて柔らかいほぼ球状の塊状体である。凡天の大きさは、束ねる繊維の太さ、本数、括るピッチ間隔等によって種々にすることができる。
【０００８】
原糸として、所謂マイクロファイバーや分割繊維と呼ばれる極細繊維を用いて直径２〜３ｃｍの凡天を構成する。極細繊維の太さは、一般に１〜１０μｍ程度である。例えば、図２に示すように、括り糸１２を長く延ばして二つの凡天１３を連結すると、ちょうど二つの凡天１３が果物のサクランボのように、そして括り糸１２が軸柄のように見える。図中１４は、葉っぱに似せて括り糸１２に結び付けた飾りである。凡天１３をサクランボに似せるために、凡天の色を赤やピンク色にするのが好ましいが、極細繊維に着色することは非常に難しく、またコストも高くつく。無着色の極細繊維は基本的に白色であるが、原糸を極細繊維と普通の着色繊維とを混合させることで、凡天自体に淡い色調で着色することができる。一例として、４０００本の極細繊維（例えば、クラレ分割繊維１５０ＤＴ４８ｆ）と１０００本の普通着色繊維（例えば、先染めのレギュラーレーヨンカラー糸、もしくは先染めのレギュラーポリエステルカラー糸）とを交編させることにより、低コストで簡単に凡天に着色することができる。
【０００９】
上述のようにサクランボに似せて作成した凡天を主要構成とする組立体は、アクセサリーのようにして携帯でき、眼鏡のレンズや携帯電話等の清掃用拭き取り具として有用である。図３は、携帯電話を拭いている状態を示す図である。二つの凡天１３を指先に摘んで持ち、その毛先で携帯電話の表面を軽く擦るようにして凡天１３を上下左右に動かすと、極細繊維の高い拭き取り効果によって携帯電話の表面をきれいに掃除できる。凡天１３は玉様の塊状体で中心の括り部が固い芯になっているので、指先で摘むことでしっかり持つことができる。特に眼鏡のレンズを拭くときには、強く擦りつける必要がないので、眼鏡フレームに過度な力が加わることはなく、フレームを歪めることがない。すなわち、この凡天の形態は、極細繊維の高い拭き取り効果を最大限に引き出すことのできる形状であり、しかもアクセサリーのように見える実用品であって使用者に新たな用途を提供するものである。凡天は、勿論一つだけ指先に摘んで用いてもよく、二つの凡天は括り糸１２で結ばれているので、もう一方の凡天が紛失するようなことはない。なお、二つの凡天を連結する括り糸１２は、ゴム紐とすることもできる。例えば、このゴム紐で携帯電話のストラップ取り付け部に取り付けておけばアクセサリーとなることは勿論であるが、紐が伸びて携帯電話のプッシュボタン部分まで凡天が届いて拭くことができる。
【００１０】
また、凡天の一つ一つは非常に軽量なので、小さ目の凡天を容器内に多数収容し、拭き取り清掃の対象品を容器内でこれら多数の凡天内に沈めて揺り動かすことができ、そのような作業だけで対象品をきれいに磨き上げることもできる。
【００１１】
上述した極細繊維製の凡天は、その形態と柔軟性、埃や汚れを取り除く高い機能を考慮すると、適当な大きさに作って、例えば美術品のような高価な物品を梱包するさいに包装用緩衝材として梱包容器内に多数の凡天を詰めるのも有用である。特に、眼鏡をケース内に収納するとき、二つの凡天をそれぞれレンズの上または下に置いてケースの蓋を閉じると、凡天の弾性で眼鏡がケース内で固定されるので、レンズに傷がついたりフレームが歪んだりするのを防ぐ保護機能の点で極めて有効である。
【図面の簡単な説明】
【図１】凡天の作り方を説明する図である。
【図２】本発明に係る清掃用拭き取り具の一実施例を示す斜視図である。
【図３】図２の拭き取り具で携帯電話を拭いている状態を示す図である。
【符号の説明】
１０  繊維束
１１  繊維束の括った箇所
１２  括り糸
１３  凡天
１４  飾り
【図１】
2004166909.tif 000003
【図２】
2004166909.tif 000004
【図３】
2004166909.tif 000005